(57)【要約】  ユーザが使用前にビデに座るときにユーザの１または複数の画像或いは映像を撮るために１または複数の内部カメラを使う電子的ビデ・システム。前記画像或いは映像は、ユーザの性器および直腸の領域における下半身の孔の種類、寸法、形状、および、位置、並びに、状態（例えば、痔）を識別し、区分し／境界を定めるために対象認識技術を用いて分析される。これらの分析された画像或いは映像に基づいて、前記システムは、ユーザの、特定の状態（例えば、痔）、孔の種類、孔の位置、孔の寸法、孔の形状、性別、身体の種類、および、体重に対してビデの設定を自動的に調節する。【選択図】  図３
2016532025.tif 000002
【特許請求の範囲】
【請求項１】
貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記鉢内に含まれ、前記コンピューティング装置に動作可能に接続されるカメラと、前記カメラに隣接する鉢照明と、前記ビデを作動させる少なくとも１つの作動装置を含む電子的ビデ・システムであって、
前記カメラは前記ビデの前記鉢開口を通してユーザの性器および肛門の領域の少なくとも１つの画像を撮り、前記少なくとも１つの画像は、前記コンピューティング装置に送られ、前記ユーザの性器および肛門の領域における下半身の孔の種類、寸法、形状、および、位置を識別するために対象認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記ノズルを自動的に調節するために、前記流体ノズルを３次元的に動かす前記手段に対して信号を送り、更に、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して、信号を送る電子的ビデ・システム。
【請求項２】
貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルと該エアドライヤ・ノズルを前記鉢内において３次元的に動かすための前記ビデ上の手段とを含む少なくとも１つのエアドライヤと、実行可能なソフトウェアを備えるコンピューティング装置と、メモリ記憶装置と、前記鉢内に含まれ、前記コンピューティング装置に動作可能に接続されるカメラと、前記カメラに隣接する鉢照明と、前記ビデを作動させる少なくとも１つの作動装置とを含む電子的ビデ・システムであって、
前記カメラはユーザの性器および肛門の領域の映像を前記ビデの前記鉢開口を通して撮り、前記映像は、前記コンピューティング装置に送られ、前記ユーザの性器および肛門の領域における下半身の孔の種類、寸法、形状、および、位置を識別するために画像認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記ノズルを自動的に調節するために、前記流体ノズルを３次元的に動かす前記手段に対して信号を送り、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して信号を送る電子的ビデ・システム。
【請求項３】
前記ビデのための前記作動装置は、前記ビデ上に座っているユーザを検出する接近センサを含み、自動的に前記ビデを作動させる請求項１に記載の電子的ビデ・システム。
【請求項４】
前記ビデのための前記作動装置は、前記ビデ上に座っているユーザを検出する接近センサを含み、自動的に前記ビデを作動させる請求項２に記載の電子的ビデ・システム。
【請求項５】
前記近接センサは、赤外センサ、重量センサ、および、モーション検知カメラから選択されるグループから構成される請求項３に記載の接近センサ。
【請求項６】
前記近接センサは、赤外センサ、重量センサ、および、モーション検知カメラから選択されるグループから構成される請求項４に記載の接近センサ。
【請求項７】
前記カメラがレンズの上の撥水性の保護フィルタを更に含む請求項１に記載の電子的ビデ・システム。
【請求項８】
前記カメラがレンズの上の撥水性の保護フィルタを更に含む請求項２に記載の電子的ビデ・システム。
【請求項９】
前記ビデのための前記作動装置は、一つのボタンを含み、該ボタンを押すことが洗浄サイクルを始動する請求項１に記載の電子的ビデ・システム。
【請求項１０】
前記ビデのための前記作動装置は、一つのボタンを含み、該ボタンを押すことが洗浄サイクルを始動する請求項２に記載の電子的ビデ・システム。
【請求項１１】
前記ビデのための前記作動装置は、膣の洗浄のための第１のボタンと臀部の洗浄のための第２のボタンとの２つのボタンを含み、何れかのボタンを押すことが洗浄サイクルを始動する請求項１に記載の電子的ビデ・システム。
【請求項１２】
前記ビデのための前記作動装置は、膣の洗浄のための第１のボタンと臀部の洗浄のための第２のボタンとの２つのボタンを含み、何れかのボタンを押すことが洗浄サイクルを始動する請求項２に記載の電子的ビデ・システム。
【請求項１３】
前記洗浄サイクルを作動させることは、自動的に、予め定められた秒数の間の洗浄段階から始めて、予め定められた秒数の間の乾燥段階に切り替え、その後、停止させる請求項１に記載の電子的ビデ・システム。
【請求項１４】
前記洗浄サイクルを作動させることは、自動的に、予め定められた秒数の間の洗浄段階から始めて、予め定められた秒数の間の乾燥段階に切り替え、その後、停止させる請求項２に記載の電子的ビデ・システム。
【請求項１５】
流体ノズルによって噴出される流体は、清浄なすすぎ水、低アレルギー性の流体石鹸、及び、病気に対する特別な流体薬剤の組合せから選択されるグループから成る請求項１に記載の電子的ビデ・システム。
【請求項１６】
流体ノズルによって噴出される流体は、清浄なすすぎ水、低アレルギー性の流体石鹸、及び、病気に対する特別な流体薬剤の組合せから選択されるグループから成る請求項２に記載の電子的ビデ・システム。
【請求項１７】
前記カメラは、前記ユーザの性器と肛門の領域の第２の複数の画像を自動的に撮り、該第２の複数の画像は、前記コンピューティング装置に送られ、前記ユーザの性器と直腸の領域における下半身の孔の種類、寸法、形状、および、位置を識別するために対象認識ソフトウェアで分析され、前記ユーザの任意の動きを補償するように前記流体ノズルおよび前記エアドライヤ・ノズルを自動的に調節するために、前記コンピューティング装置は、前記流体ノズルを３次元的に動かすための前記手段および前記エアドライヤ・ノズルを３次元的に動かすための前記手段に信号を送る請求項１に記載の電子的ビデ・システム。
【請求項１８】
前記ユーザの任意の動きを補償するように前記流体ノズルおよび前記エアドライヤ・ノズルを自動的に調節するために、前記コンピューティング装置は、前記流体ノズルを３次元的に動かすための前記手段および前記エアドライヤ・ノズルを３次元的に動かすための前記手段に信号を送る請求項２に記載の電子的ビデ・システム。
【請求項１９】
前記カメラは、前記ユーザの性器と肛門の領域の第３の複数の画像を自動的に撮り、該第３の複数の画像は、前記コンピューティング装置に送られ、前記ユーザが前記ビデからの距離のしきい値を超えたかどうかを決定するために対象認識ソフトウェアで分析され、前記コンピューティング装置は、流体の噴出を止めるように前記流体ノズルを３次元的に動かすための前記手段に信号を送り、吹付け空気を止めるように前記エアドライヤ・ノズルを３次元的に動かすための前記手段に信号を送る請求項１に記載の電子的ビデ・システム。
【請求項２０】
前記対象認識ソフトウェアは、前記ユーザが前記ビデからの距離のしきい値を超えたかどうかを決定するために用いられ、前記コンピューティング装置は、流体の噴出を止めるために前記流体ノズルを動かすための前記手段に信号を送り、吹付け空気を止めるように前記エアドライヤ・ノズルを３次元的に動かすための前記手段に信号を送る請求項２に記載の電子的ビデ・システム。
【請求項２１】
前記カメラは、前記ユーザの性器と肛門の領域の第４の複数の画像を自動的に撮り、該複数の画像は、前記コンピューティング装置に送られ、前記ユーザの依然汚れている任意の部分を識別するために対象認識ソフトウェアで分析され、流体を噴出するように前記流体ノズルを自動的に調節するために、前記コンピューティング装置は、前記流体ノズルを３次元的に動かすための前記手段に信号を送る請求項１に記載の電子的ビデ・システム。
【請求項２２】
前記対象認識ソフトウェアは、前記ユーザの依然汚れている任意の部分を識別するために用いられ、前記コンピューティング装置は、流体を噴出するように前記流体ノズルを自動的に調節するために、前記流体ノズルを３次元的に動かすための前記手段に信号を送る請求項２に記載の電子的ビデ・システム。
【請求項２３】
前記システムは充電式電池によって電力供給される請求項１に記載の電子的ビデ・システム。
【請求項２４】
前記システムは充電式電池によって電力供給される請求項２に記載の電子的ビデ・システム。
【請求項２５】
前記システムは太陽電池パネルによって電力供給される請求項１に記載の電子的ビデ・システム。
【請求項２６】
前記システムは太陽電池パネルによって電力供給される請求項２に記載の電子的ビデ・システム。
【請求項２７】
前記対象認識ソフトウェアは、前記鉢の汚れている領域を分類し、位置決めして、該汚れている領域を洗浄するために前記流体ノズルを３次元的に動かすための前記手段に信号を送る請求項１に記載の電子的ビデ・システム。
【請求項２８】
前記対象認識ソフトウェアは、前記鉢の汚れている領域を分類し、位置決めして、該汚れている領域を洗浄するために前記流体ノズルを３次元的に動かすための前記手段に信号を送る請求項２に記載の電子的ビデ・システム。
【請求項２９】
前記対象認識ソフトウェアが前記ユーザを女性として分類したとき、前記システムは、二重スプレー流体ノズルによって膣および肛門を同時に洗浄する請求項１に記載の電子的ビデ・システム。
【請求項３０】
前記対象認識ソフトウェアが前記ユーザを女性として分類したとき、前記システムは、二重スプレー流体ノズルによって膣および肛門を同時に洗浄する請求項２に記載の電子的ビデ・システム。
【請求項３１】
前記対象認識ソフトウェアが身体的異常を検出したとき、前記システムは特別な清浄動作を起動させる請求項１に記載の電子的ビデ・システム。
【請求項３２】
前記対象認識ソフトウェアが身体的異常を検出したとき、前記システムは特別な清浄動作を起動させる請求項２に記載の電子的ビデ・システム。
【請求項３３】
前記対象認識ソフトウェアは、前記ユーザの肛門、睾丸、ペニスの下部、膣、体毛クラスタ、焼けどの痕、痔、出生斑、ほくろ、にきび、腫瘍、および、汚れた場所を識別し、区分し／境界を定める請求項１に記載の電子的ビデ・システム。
【請求項３４】
前記対象認識ソフトウェアは、前記ユーザの肛門、睾丸、ペニスの下部、膣、体毛クラスタ、焼けどの痕、痔、出生斑、ほくろ、にきび、腫瘍、および、汚れた場所を識別し、区分し／境界を定める請求項２に記載の電子的ビデ・システム。
【発明の詳細な説明】
【技術分野】
【０００１】
本発明の分野は、内部カメラと対象認識技術とを用いてユーザの下半身の孔（複数）を識別し、それらの位置を決定する電子的ビデ・システムに関するものであり、この識別および位置の決定は、当該システムが、ユーザの、特定の種類の孔（複数）、孔の位置、孔の寸法、孔の形状、性別、身体の種類、体重、および、他の特性（複数）に対してビデの設定を自動的に調節するように行うものである。
【背景技術】
【０００２】
ビデは、バスルームに設置され、ノズルを通して放出される清浄水を使ってティッシュペーパを使わずに、性器、臀部の内側、および、肛門を洗う衛生器具である。
【０００３】
使い易さ、機能性、および、清潔さが向上しているので、ビデ（複数）は、複数のユーザまたは障害をもつユーザ（複数）を有するより多くの場所に設置されつつある。障害を有する患者、または、中高年の患者のために衛生状態と使い易さを維持する際の有用性のために、ビデは、病院において、より広く行き渡りつつある。ビデは、障害を有するユーザ、または、中高年のユーザがトイレを使用することを可能にし、彼らに独立するためのより大きな機会を与える。
【０００４】
大部分の現代のビデは、構造において便器と同様である。ビデは、通常、水を供給する手段に永久的に取り付けられており、貯水タンクと、縁（ｒｉｍ）付きの鉢（ｂｏｗｌ）と、座部（ｓｅａｔ）と、座部の蓋と、貯水タンクから排出された水をユーザの性器および直腸の領域まで噴出するための第１の流体ノズルと、貯水タンクからユーザまで放出される水を清浄化する第２の流体ノズルと、第１および／または第２の流体ノズルを洗浄する第３の流体ノズルとを含む。ビデは、既存の便器またはトイレ自体の一部に接続されるノズルである場合もある。
【０００５】
現代のビデは、多くの場合、より気持ちの良い経験をユーザに提供する、多くの電子的に制御された機能を備えている。以下に限られるものではないが、これらの機能の一部は、水を特定の温度に維持するために貯水タンク内の水を加温するための加温手段と、ビデの座部のための加温手段と、前記流体ノズル（複数）から噴出される水量を調節するための制御手段と、ユーザの性器および直腸の領域をマッサージする複数のパターンで水を噴出する新しい流体ノズル含む。
【０００６】
多くの場合、現代のビデは、前記装置（複数）がより容易に制御されるようにする電子制御の機能も備えている。以下のものに限られていないが、これらの機能の一部は、水流体ノズル（複数）を作動させるリモートコントロールと、調節可能水圧と、温度補償と、ユーザがビデの座部に座っているかどうかを検出するための着座センサ（複数）とを含む。
【０００７】
現代のビデの比較的新しい２つの特徴は、流体ノズル方向制御、および、ユーザがビデの座部に座っているかどうかを検出するための着座センサを含む。多くの場合、着座センサは、ビデ座部に座っているか、または、ビデに接近しているユーザの存在を検出するために、赤外線または重量センサを使う。一旦ユーザが検出されたならば、これらのビデは省エネルギー・モードから作動する。この作動は、後のユーザがフレッシュにビデを使えることを確実にするためにビデ使用の前または後に鉢を水洗する（ｆｌｕｓｈｉｎｇ）ことを含んでもよい。流体ノズル方向制御は、ユーザがより良い洗浄を経験するために、１または複数のまたは前記流体ノズル（複数）を調節すること可能にし得る。
【０００８】
オプションや機能性が更に増えたにもかかわらず、現代のビデは、寸法、体形、および、性別が異なる複数のユーザに同じ洗浄経験を提供しない。ユーザの寸法、体形、および、性別に関係なく、ビデは、通常、所定の方向に水を噴出するように事前設定されている。ユーザが手動操作によって噴出された水の方向をコントロールすることができるビデも存在するが、各ユーザが使用前にビデを手動によって調節しなければならないとき、この手順は厄介である。更に、調節を誤ったビデがユーザの衣服または周囲の家具や壁に水を噴霧することが有り得る場合には、困惑させるような事故が起こりうる。
【０００９】
したがって、ユーザの、孔の種類、孔の位置、孔の寸法、孔の形状、性別、および、特別な解剖学的状態（例えば、痔）を自動的に識別し、ユーザの身体の構造および状態に基づいて適当なビデ設定（例えば、流体およびエアの噴出方向、流体およびエアの圧、洗浄パターン、その他）を計算するビデが必要とされている。
【００１０】
米国特許第5,２０１,０８０号は、ビデに座っているユーザの色の違い、明るさの違い、および、エッジ検出を使用して簡略図を作るビデを開示する。この図（米国特許第5,２０１,０８０号のＦｉｇ．２に図示される）は、ビデ上のユーザの下半身を大まかに表しているものと思われる。ユーザの下半身の孔の種類または識別を決定するためのユーザの下半身の分析がないので、この図は視覚対象認識を用いて作られていない。その代わりに、このビデは、ユーザの肛門が常に図の略正中線に位置し、厚いエッジと色の違いによって検出されると仮定している。
【００１１】
このビデには、幾つかの問題および限界がある。第１に、（もし、ユーザが比較的濃い肌色を有しているか、ビデが比較的暗い照明環境に位置しているならば）ユーザの色またはコントラストの違いは、容易に決定されないかもしれず、或いは、検出されないかもしれない。第２に、ユーザは必ずしも鉢の中央に位置していないかもしれず、（もし、ユーザが小柄な大人または子供であるならば）結果として生じる画像（そして、エッジ）は図と一致しない。第３に、ユーザは、ほくろ、出産斑、または、図を乱すか、或いは、孔と間違えられるかもしれない体毛を有しているかもしれず、エッジの検出を難しくし、信頼できなくしている。第４に、肥満体のユーザに対しては、孔（複数）の幾つかの部分が脂肪組織によって覆われるかもしれないので、孔（複数）の幾つかの部分は単純なエッジ検出または輝度の変化によって容易に検出されない場合がある。
【発明の概要】
【発明が解決しようとする課題】
【００１２】
本発明は、米国特許第5,２０１,０８０号によって開示されたビデの限界を克服する。本発明は、本格的な視覚対象認識（visual object recognition）技術を組み込んだビデである。このビデは、全てのユーザの、寸法、形状、肌色、性別、および、肌の状態に対して下半身の孔（複数）を認識し、識別し、区分する。
【課題を解決するための手段】
【００１３】
以下に説明され、添付の請求の範囲の主題を形成する発明の追加的な特徴が存在する。この点、本発明の少なくとも１つの実施形態を詳細に説明する前に、本発明は、その応用において、以下の記述に説明され、又は、図面に図示される要素の配列及び構成の詳細に限定されないことが理解されるべきである。本発明は、他の実施形態が可能であり、種々の方法で実施され、及び、実行されることが可能である。また、本書で採用される言い回し及び用語は、説明目的であり、限定と見なされるべきではない。
【００１４】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記ビデを作動させる少なくとも１つの作動装置と、前記鉢内に含まれるフラッシュ・ユニットを有するカメラを含み、
前記カメラは、前記コンピューティング装置に動作可能に接続され、更に、前記カメラは前記ビデの前記鉢開口を通してユーザの性器および肛門の領域の画像を撮り、前記画像は、前記コンピューティング装置に送られ、前記ユーザの性器および直腸の領域における下半身の孔の種類、寸法、形状、および、位置を識別するために対象認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送り、更に、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して、信号を送る電子的ビデ・システムを開示する。
【００１５】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、実行可能なソフトウェアを備えるコンピューティング装置と、メモリ記憶装置と、前記ビデを作動させる少なくとも１つの作動装置と、前記鉢内に含まれるフラッシュ・ユニットを有するカメラを有し、
前記カメラは、前記コンピューティング装置に動作可能に接続され、更に、前記カメラは前記ビデの前記鉢開口を通してユーザの性器および肛門の領域の画像を撮り、前記画像は、前記コンピューティング装置に送られ、前記ユーザの性器および直腸の領域における下半身の孔の種類、寸法、形状、および、位置を識別するために対象認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送る電子的ビデ・システムを開示する。
【００１６】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記ビデを作動させる少なくとも１つの作動装置と、前記鉢内に含まれるフラッシュ・ユニットを有するカメラを含み、
前記カメラは、前記コンピューティング装置に動作可能に接続され、更に、前記カメラは前記ビデの前記鉢開口を通してユーザの性器および肛門の領域の複数の画像を撮り、前記複数の画像は、前記コンピューティング装置に送られ、前記ユーザの性器および直腸の領域における下半身の孔の種類、寸法、形状、および、位置を識別するために対象認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送り、更に、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して、信号を送る電子的ビデ・システムを開示する。
【００１７】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、実行可能なソフトウェアを備えるコンピューティング装置と、メモリ記憶装置と、前記ビデを作動させる少なくとも１つの作動装置と、前記鉢内に含まれるフラッシュ・ユニットを有するカメラを含み、
前記カメラは、前記コンピューティング装置に動作可能に接続され、更に、前記カメラは前記ビデの前記鉢開口を通してユーザの性器および肛門の領域の複数の画像を撮り、前記複数の画像は、前記コンピューティング装置に送られ、前記ユーザの性器および直腸の領域における下半身の孔の種類、寸法、形状、および、位置を識別するために対象認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送る電子的ビデ・システムを開示する。
【００１８】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記ビデを作動させる少なくとも１つの作動装置と、前記鉢内に含まれるフラッシュ・ユニットを有するカメラを含み、
前記カメラは、前記コンピューティング装置に動作可能に接続され、更に、前記カメラは前記ビデの前記鉢開口を通してユーザの性器および肛門の領域の映像（ビデオ）を撮り、前記映像は、前記コンピューティング装置に送られ、前記ユーザの性器および直腸の領域における下半身の孔の種類、寸法、形状、および、位置を識別するために対象認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送り、更に、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して、信号を送る電子的ビデ・システムを開示する。
【００１９】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記ビデを作動させる少なくとも１つの作動装置と、前記鉢内に含まれるフラッシュ・ユニットを有するカメラを含み、
前記カメラは、前記コンピューティング装置に動作可能に接続され、更に、前記カメラは前記ビデの前記鉢開口を通してユーザの性器および肛門の領域の映像を撮り、前記映像は、前記コンピューティング装置に送られ、前記ユーザの性器および直腸の領域における下半身の孔の種類、寸法、形状、および、位置を識別するために対象認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送る電子的ビデ・システムを開示する。
【００２０】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
前記カメラは前記ビデの前記鉢開口を通してユーザの性器および肛門の領域の画像を撮り、前記画像は、前記コンピューティング装置に送られ、前記ユーザの性器および直腸の領域における下半身の孔の種類、寸法、形状、および、位置を識別するためにパターン認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送り、更に、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して、信号を送る電子的ビデ・システムを開示する。
【００２１】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
前記カメラは前記ビデの前記鉢開口を通してユーザの性器および肛門の領域の画像を撮り、前記画像は、前記コンピューティング装置に送られ、前記ユーザの性器および直腸の領域における下半身の孔の種類、寸法、形状、および、位置を識別するためにパターン認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送る電子的ビデ・システムを開示する。
【００２２】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
前記カメラは前記ビデの前記鉢開口を通してユーザの性器および肛門の領域の複数の画像を撮り、前記複数の画像は、前記コンピューティング装置に送られ、前記ユーザの性器および直腸の領域における下半身の孔の種類、寸法、形状、および、位置を識別するためにパターン認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送り、更に、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して、信号を送る電子的ビデ・システムを開示する。
【００２３】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
前記カメラは前記ビデの前記鉢開口を通してユーザの性器および肛門の領域の複数の画像を撮り、前記複数の画像は、前記コンピューティング装置に送られ、前記ユーザの性器および直腸の領域における下半身の孔の種類、寸法、形状、および、位置を識別するためにパターン認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送る電子的ビデ・システムを開示する。
【００２４】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
前記カメラは、前記ビデの前記鉢開口を通してユーザの性器および肛門の領域の映像を撮り、前記映像は、前記コンピューティング装置に送られ、前記ユーザの性器および直腸の領域における下半身の孔の種類、寸法、形状、および、位置を識別するためにパターン認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送り、更に、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して、信号を送る電子的ビデ・システムを開示する。
【００２５】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
前記カメラは前記ビデの前記鉢開口を通してユーザの性器および肛門の領域の映像を撮り、前記映像は、前記コンピューティング装置に送られ、前記ユーザの性器および直腸の領域における下半身の孔の種類、寸法、形状、および、位置を識別するためにパターン認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送る電子的ビデ・システムを開示する。
【００２６】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
前記カメラは前記ビデの前記鉢開口を通してユーザの性器および肛門の領域の画像を撮り、前記画像は、前記コンピューティング装置に送られ、対象認識ソフトウェアによって分析され、前記対象認識ソフトウェアは、前記ユーザの肛門、性器および汚れた場所を識別及び分類し、更に、対象認識ソフトウェアは、前記ユーザの任意の体毛クラスタ、出生斑、にきび、ほくろ、腫瘍、焼けどの痕、痔を識別及び分類し、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送り、更に、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して、信号を送る電子的ビデ・システムを開示する。
【００２７】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
前記カメラは前記ビデの前記鉢開口を通してユーザの性器および肛門の領域の画像を撮り、前記画像は、前記コンピューティング装置に送られ、対象認識ソフトウェアによって分析され、前記対象認識ソフトウェアは、前記ユーザの肛門、性器および汚れた場所を識別及び分類し、更に、前記対象認識ソフトウェアは、前記ユーザの任意の体毛クラスタ、出生斑、にきび、ほくろ、腫瘍、焼けどの痕、痔を識別及び分類し、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送る電子的ビデ・システムを開示する。
【００２８】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
前記カメラは前記ビデの前記鉢開口を通してユーザの性器および肛門の領域の複数の画像を撮り、前記複数の画像は、前記コンピューティング装置に送られ、対象認識ソフトウェアによって分析され、前記対象認識ソフトウェアは、前記ユーザの肛門、性器および汚れた場所を識別及び分類し、更に、対象認識ソフトウェアは、前記ユーザの任意の体毛クラスタ、出生斑、にきび、ほくろ、腫瘍、焼けどの痕、痔を識別及び分類し、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送り、更に、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して、信号を送る電子的ビデ・システムを開示する。
【００２９】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
前記カメラは前記ビデの前記鉢開口を通してユーザの性器および肛門の領域の複数の画像を撮り、前記複数の画像は、前記コンピューティング装置に送られ、対象認識ソフトウェアによって分析され、前記対象認識ソフトウェアは、前記ユーザの肛門、性器および汚れた場所を識別及び分類し、更に、対象認識ソフトウェアは、前記ユーザの任意の体毛クラスタ、出生斑、にきび、ほくろ、腫瘍、焼けどの痕、痔を識別及び分類し、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送る電子的ビデ・システムを開示する。
【００３０】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
第２のカメラは前記ビデの前記鉢開口を通してユーザの性器および肛門の領域の映像を撮り、前記映像は、前記コンピューティング装置に送られ、対象認識ソフトウェアによって分析され、前記対象認識ソフトウェアは、前記ユーザの肛門、性器および汚れた場所を識別及び分類し、更に、対象認識ソフトウェアは、前記ユーザの任意の体毛クラスタ、出生斑、にきび、ほくろ、腫瘍、焼けどの痕、痔を識別及び分類し、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送り、更に、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して、信号を送る電子的ビデ・システムを開示する。
【００３１】
本発明は、貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記コンピューティング装置に動作可能に接続された前記鉢内に含まれるフラッシュ・ユニットを有するカメラと、前記ビデを作動させる少なくとも１つの作動装置を含み、
前記カメラは前記ビデの前記鉢開口を通してユーザの性器および肛門の領域の映像を撮り、前記映像は、前記コンピューティング装置に送られ、対象認識ソフトウェアによって分析され、前記対象認識ソフトウェアは、前記ユーザの肛門、性器および汚れた場所を識別及び分類し、更に、対象認識ソフトウェアは、前記ユーザの任意の体毛クラスタ、出生斑、にきび、ほくろ、腫瘍、焼けどの痕、痔を識別及び分類し、前記コンピューティング装置は、前記ユーザの特定の種類の孔、孔の位置、孔の寸法、孔の形状、性別、身体の種類、および、体重に対して、清浄するための流体を噴出する前記流体ノズルを自動的に調節するために、前記流体ノズルを３次元的に動かす前記手段に対して信号を送る電子的ビデ・システムを開示する。
【００３２】
本発明の１実施形態では、前記ビデは、前記流体ノズルから前記ユーザに放出された流体を洗浄し、又は、前記ビデの前記鉢を洗浄するための第２の流体ノズルを更に含む。
【００３３】
本発明の１実施形態では、前記ビデのための前記作動装置は、前記ビデ上に座っているユーザを検出する接近センサを含み、自動的に前記ビデを作動させる。本発明の更なる実施形態では、前記近接センサは、赤外センサ、重量センサ、および、モーション検知カメラの少なくとも１つであり得る。
【００３４】
本発明の更なる実施形態では、前記ビデのための前記作動装置は、ボタン、音声認識ソフトウェアと結合したマイクロフォン、スマートフォン、タブレット、タッチパッド、リモートコントロール、又は、マルチポイント・タッチスクリーンであり得る。
【００３５】
本発明の実施形態では、ボタンを押すことが、ウォッシングステージと乾燥ステージを含む洗浄サイクルを始動する。本発明の他の実施形態では、ボタンは、第１の所定の秒数のウォッシングステージを含む洗浄サイクルを開始させる。本発明の更なる実施形態では、ボタンは、第１の所定の秒数のウォッシングステージと、第２の所定の秒数の乾燥ステージを含む洗浄サイクルを開始させる。
【００３６】
本発明の実施形態では、前記ビデのための前記作動装置は、膣の洗浄のための第１のボタンと臀部の洗浄のための第２のボタンとの２つのボタンを含み、何れかのボタンを押すことがウォッシングステージと乾燥ステージを含む洗浄サイクルを始動する。
【００３７】
本発明の実施形態では、前記ビデのための前記作動装置は、膣の洗浄のための第１のボタンと臀部の洗浄のための第２のボタンとの２つのボタンである。本発明の更なる実施形態では、膣の洗浄のためのボタンを押すことが、第１の所定の秒数のウォッシングステージと、第２の所定の秒数の乾燥ステージを含む膣の領域の洗浄サイクルを開始する。本発明の更なる実施形態では、臀部の洗浄のためのボタンを押すことが、第１の所定の秒数のウォッシングステージと、第２の所定の秒数の乾燥ステージを含む肛門の領域の洗浄サイクルを開始する。
【００３８】
本発明の他の実施形態では、前記ビデは、前記ユーザの画像を撮るための照明を提供する前記カメラに近接した鉢照明を有し得る。
【００３９】
本発明の更なる実施形態では、流体ノズルによって噴出される流体は、清浄なすすぎ水、低アレルギー性の流体石鹸、及び、痔などの状態又は病気に対する特別な流体薬剤の任意の組み合わせを含み得る。
【００４０】
本発明の他の実施形態では、前記カメラは、ユーザの性器及び肛門の領域の映像、単一の画像、又は、複数の画像を自動的に撮影し、この追加的な画像又は映像は、前記コンピューティング装置に送られ、前記ユーザの肛門、性器の種類、形状、寸法及び位置を識別するために対象認識ソフトウェアによって分析され、前記ユーザの任意の動きを補償するように前記流体ノズルおよび前記エアドライヤ・ノズルを自動的に調節するために、前記コンピューティング装置は、前記流体ノズルを動かすための前記手段および前記エアドライヤ・ノズルを３次元的に動かすための前記手段に信号を送り得る。
【００４１】
本発明の他の実施形態では、前記カメラは、ユーザの性器及び肛門の領域の映像、単一の画像、又は、複数の画像を自動的に撮影し、この追加的な画像又は映像は、前記コンピューティング装置に送られ、前記ユーザが前記ビデからの距離のしきい値を超えたかどうかを決定するために対象認識ソフトウェアによって分析され、前記コンピューティング装置は、流体の噴出を止めるように前記流体ノズルを動かすための前記手段に信号を送り、吹付け乾燥空気を止めるように前記エアドライヤ・ノズルを動かすための前記手段に信号を送り得る。
【００４２】
本発明の他の実施形態では、前記カメラは、ユーザの性器及び肛門の領域の映像、単一の画像、又は、複数の画像を自動的に撮影し、この追加的な画像又は映像は、前記コンピューティング装置に送られ、前記ユーザの依然汚れている任意の部分を識別するために対象認識ソフトウェアによって分析され、前記ユーザの任意の動きを補償するように前記流体ノズルおよび前記エアドライヤ・ノズルを自動的に調節するために、前記コンピューティング装置は、前記流体ノズルを動かすための前記手段および前記エアドライヤ・ノズルを３次元的に動かすための前記手段に信号を送り得る。
【００４３】
本発明の更なる実施形態では、前記対象認識ソフトウェアは、どの部分が汚れているかを決定するために前記システムを前記ユーザが使用する前後にユーザの性器及び肛門の領域の画像を分析し得る。これらの分析された画像に基づき、前記コンピューティング装置は、他の洗浄及び乾燥サイクルを開始するように、前記流体ノズル及び前記エアドライヤ・ノズルに他の信号を送り得る。
【００４４】
本発明の実施形態では、前記対象認識ソフトウェアは、前記ユーザの肛門、睾丸、ペニスの下部、膣、体毛クラスタ、焼けどの痕、痔、出生斑、ほくろ、にきび、腫瘍、および、汚れた場所を識別し、区分し／境界を定める。
【００４５】
本発明の実施形態では、前記電子的ビデ・システムは、電力線への取付具、内部充電式電池、又は、太陽電池パネルによって電力供給され得る。
【００４６】
このように、後述の本発明の詳細な説明がよりよく理解され得るように、また、本技術分野への本貢献がより理解されるように、本発明の重要な特徴が広く概観された。後述される本発明の追加の特徴があり、それらは、添付の請求の範囲の主題を形成する。これらは、本発明の他の実施形態ともに、及び、本発明と特徴付ける新規な種々の特徴とともに、添付の請求の範囲に記載され、本開示の一部を形成する。
【００４７】
当業者が理解するように、「実質的に」の用語は、所与の値又は状態に少なくとも近い（及び、それらを含み得る）ものとして定義される。１実施形態では、「実質的に」の用語は、特定された所与の値又は状態の１０％以内、好ましくは、５％以内、より好ましくは、１％以内、特に好ましくは、０．１％以内を言う。
【００４８】
本発明及びその動作上の利点の概念的理解のために、本発明の好ましい実施形態が記載された添付図面及び記述事項を参照されたい。本発明の他の特徴及び利点は、添付図面を参照すれば、本発明の原理を例として説明した好ましい実施形態の以下の説明から明らかになる。
【００４９】
以下、本願の当初記載の発明を付記する。
＜請求項１＞
貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記鉢内に含まれ、前記コンピューティング装置に動作可能に接続されるカメラと、前記カメラに隣接する鉢照明と、前記ビデを作動させる少なくとも１つの作動装置を含む電子的ビデ・システムであって、
前記カメラは前記ビデの前記鉢開口を通してユーザの性器および肛門の領域の少なくとも１つの画像を撮り、前記少なくとも１つの画像は、前記コンピューティング装置に送られ、前記ユーザの性器および肛門の領域における下半身の孔の種類、寸法、形状、および、位置を識別するために対象認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記ノズルを自動的に調節するために、前記流体ノズルを３次元的に動かす前記手段に対して信号を送り、更に、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して、信号を送る電子的ビデ・システム。
＜請求項２＞
貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルと該エアドライヤ・ノズルを前記鉢内において３次元的に動かすための前記ビデ上の手段とを含む少なくとも１つのエアドライヤと、実行可能なソフトウェアを備えるコンピューティング装置と、メモリ記憶装置と、前記鉢内に含まれ、前記コンピューティング装置に動作可能に接続されるカメラと、前記カメラに隣接する鉢照明と、前記ビデを作動させる少なくとも１つの作動装置とを含む電子的ビデ・システムであって、
前記カメラはユーザの性器および肛門の領域の映像を前記ビデの前記鉢開口を通して撮り、前記映像は、前記コンピューティング装置に送られ、前記ユーザの性器および肛門の領域における下半身の孔の種類、寸法、形状、および、位置を識別するために画像認識ソフトウェアによって分析され、前記コンピューティング装置は、前記ユーザの特定の種類の孔、孔の位置、孔の寸法、孔の形状、性別、身体の種類、および、体重に対して、清浄するための流体を噴出する前記ノズルを自動的に調節するために、前記流体ノズルを３次元的に動かす前記手段に対して信号を送り、前記コンピューティング装置は、前記ユーザの特定の種類の孔、孔の位置、孔の寸法、孔の形状、性別、身体の種類、および、体重に対して、乾燥するための乾燥空気を噴出する前記エアノズルを自動的に調節するために、前記エアノズルを３次元的に動かす前記手段に対して信号を送る電子的ビデ・システム。
＜請求項３＞
前記ビデのための前記作動装置は、前記ビデ上に座っているユーザを検出する接近センサを含み、自動的に前記ビデを作動させる請求項１に記載の電子的ビデ・システム。
＜請求項４＞
前記ビデのための前記作動装置は、前記ビデ上に座っているユーザを検出する接近センサを含み、自動的に前記ビデを作動させる請求項２に記載の電子的ビデ・システム。
＜請求項５＞
前記近接センサは、赤外センサ、重量センサ、および、モーション検知カメラから選択されるグループから構成される請求項３に記載の接近センサ。
＜請求項６＞
前記近接センサは、赤外センサ、重量センサ、および、モーション検知カメラから選択されるグループから構成される請求項４に記載の接近センサ。
＜請求項７＞
前記カメラがレンズの上の撥水性の保護フィルタを更に含む請求項１に記載の電子的ビデ・システム。
＜請求項８＞
前記カメラがレンズの上の撥水性の保護フィルタを更に含む請求項２に記載の電子的ビデ・システム。
＜請求項９＞
前記ビデのための前記作動装置は、一つのボタンを含み、該ボタンを押すことが洗浄サイクルを始動する請求項１に記載の電子的ビデ・システム。
＜請求項１０＞
前記ビデのための前記作動装置は、一つのボタンを含み、該ボタンを押すことが洗浄サイクルを始動する請求項２に記載の電子的ビデ・システム。
＜請求項１１＞
前記ビデのための前記作動装置は、膣の洗浄のための第１のボタンと臀部の洗浄のための第２のボタンとの２つのボタンを含み、何れかのボタンを押すことが洗浄サイクルを始動する請求項１に記載の電子的ビデ・システム。
＜請求項１２＞
前記ビデのための前記作動装置は、膣の洗浄のための第１のボタンと臀部の洗浄のための第２のボタンとの２つのボタンを含み、何れかのボタンを押すことが洗浄サイクルを始動する請求項２に記載の電子的ビデ・システム。
＜請求項１３＞
前記洗浄サイクルを作動させることは、自動的に、予め定められた秒数の間の洗浄段階から始めて、予め定められた秒数の間の乾燥段階に切り替え、その後、停止させる請求項１に記載の電子的ビデ・システム。
＜請求項１４＞
前記洗浄サイクルを作動させることは、自動的に、予め定められた秒数の間の洗浄段階から始めて、予め定められた秒数の間の乾燥段階に切り替え、その後、停止させる請求項２に記載の電子的ビデ・システム。
＜請求項１５＞
流体ノズルによって噴出される流体は、清浄なすすぎ水、低アレルギー性の流体石鹸、及び、病気に対する特別な流体薬剤の組合せから選択されるグループから成る請求項１に記載の電子的ビデ・システム。
＜請求項１６＞
流体ノズルによって噴出される流体は、清浄なすすぎ水、低アレルギー性の流体石鹸、及び、病気に対する特別な流体薬剤の組合せから選択されるグループから成る請求項２に記載の電子的ビデ・システム。
＜請求項１７＞
前記カメラは、前記ユーザの性器と肛門の領域の第２の複数の画像を自動的に撮り、該第２の複数の画像は、前記コンピューティング装置に送られ、前記ユーザの性器と直腸の領域における下半身の孔の種類、寸法、形状、および、位置を識別するために対象認識ソフトウェアで分析され、前記ユーザの任意の動きを補償するように前記流体ノズルおよび前記エアドライヤ・ノズルを自動的に調節するために、前記コンピューティング装置は、前記流体ノズルを３次元的に動かすための前記手段および前記エアドライヤ・ノズルを３次元的に動かすための前記手段に信号を送る請求項１に記載の電子的ビデ・システム。
＜請求項１８＞
前記ユーザの任意の動きを補償するように前記流体ノズルおよび前記エアドライヤ・ノズルを自動的に調節するために、前記コンピューティング装置は、前記流体ノズルを３次元的に動かすための前記手段および前記エアドライヤ・ノズルを３次元的に動かすための前記手段に信号を送る請求項２に記載の電子的ビデ・システム。
＜請求項１９＞
前記カメラは、前記ユーザの性器と肛門の領域の第３の複数の画像を自動的に撮り、該第３の複数の画像は、前記コンピューティング装置に送られ、前記ユーザが前記ビデからの距離のしきい値を超えたかどうかを決定するために対象認識ソフトウェアで分析され、前記コンピューティング装置は、流体の噴出を止めるように前記流体ノズルを３次元的に動かすための前記手段に信号を送り、吹付け空気を止めるように前記エアドライヤ・ノズルを３次元的に動かすための前記手段に信号を送る請求項１に記載の電子的ビデ・システム。
＜請求項２０＞
前記対象認識ソフトウェアは、前記ユーザが前記ビデからの距離のしきい値を超えたかどうかを決定するために用いられ、前記コンピューティング装置は、流体の噴出を止めるために前記流体ノズルを動かすための前記手段に信号を送り、吹付け空気を止めるように前記エアドライヤ・ノズルを３次元的に動かすための前記手段に信号を送る請求項２に記載の電子的ビデ・システム。
＜請求項２１＞
前記カメラは、前記ユーザの性器と肛門の領域の第４の複数の画像を自動的に撮り、該複数の画像は、前記コンピューティング装置に送られ、前記ユーザの依然汚れている任意の部分を識別するために対象認識ソフトウェアで分析され、流体を噴出するように前記流体ノズルを自動的に調節するために、前記コンピューティング装置は、前記流体ノズルを３次元的に動かすための前記手段に信号を送る請求項１に記載の電子的ビデ・システム。
＜請求項２２＞
前記対象認識ソフトウェアは、前記ユーザの依然汚れている任意の部分を識別するために用いられ、前記コンピューティング装置は、流体を噴出するように前記流体ノズルを自動的に調節するために、前記流体ノズルを３次元的に動かすための前記手段に信号を送る請求項２に記載の電子的ビデ・システム。
＜請求項２３＞
前記システムは充電式電池によって電力供給される請求項１に記載の電子的ビデ・システム。
＜請求項２４＞
前記システムは充電式電池によって電力供給される請求項２に記載の電子的ビデ・システム。
＜請求項２５＞
前記システムは太陽電池パネルによって電力供給される請求項１に記載の電子的ビデ・システム。
＜請求項２６＞
前記システムは太陽電池パネルによって電力供給される請求項２に記載の電子的ビデ・システム。
＜請求項２７＞
前記対象認識ソフトウェアは、前記鉢の汚れている領域を分類し、位置決めして、該汚れている領域を洗浄するために前記流体ノズルを３次元的に動かすための前記手段に信号を送る請求項１に記載の電子的ビデ・システム。
＜請求項２８＞
前記対象認識ソフトウェアは、前記鉢の汚れている領域を分類し、位置決めして、該汚れている領域を洗浄するために前記流体ノズルを３次元的に動かすための前記手段に信号を送る請求項２に記載の電子的ビデ・システム。
＜請求項２９＞
前記対象認識ソフトウェアが前記ユーザを女性として分類したとき、前記システムは、二重スプレー流体ノズルによって膣および肛門を同時に洗浄する請求項１に記載の電子的ビデ・システム。
＜請求項３０＞
前記対象認識ソフトウェアが前記ユーザを女性として分類したとき、前記システムは、二重スプレー流体ノズルによって膣および肛門を同時に洗浄する請求項２に記載の電子的ビデ・システム。
＜請求項３１＞
前記対象認識ソフトウェアが身体的異常を検出したとき、前記システムは特別な清浄動作を起動させる請求項１に記載の電子的ビデ・システム。
＜請求項３２＞
前記対象認識ソフトウェアが身体的異常を検出したとき、前記システムは特別な清浄動作を起動させる請求項２に記載の電子的ビデ・システム。
＜請求項３３＞
前記対象認識ソフトウェアは、前記ユーザの肛門、睾丸、ペニスの下部、膣、体毛クラスタ、焼けどの痕、痔、出生斑、ほくろ、にきび、腫瘍、および、汚れた場所を識別し、区分し／境界を定める請求項１に記載の電子的ビデ・システム。
＜請求項３４＞
前記対象認識ソフトウェアは、前記ユーザの肛門、睾丸、ペニスの下部、膣、体毛クラスタ、焼けどの痕、痔、出生斑、ほくろ、にきび、腫瘍、および、汚れた場所を識別し、区分し／境界を定める請求項２に記載の電子的ビデ・システム。
【図面の簡単な説明】
【００５０】
本発明の利点は、添付図面と一緒に考慮されるべき本発明の例示的な実施形態の以下の詳細な説明から明らかになるだろう。
【図１】内部カメラおよび流体ノズルが引き込まれた電子的ビデ・システムの１つの実施形態の上方斜視図である。
【図２】前記内部カメラおよび流体ノズルが伸ばされた電子的ビデ・システムの１つの実施形態の上方斜視図である。
【図３】前記内部カメラおよび流体ノズルが引き込まれ、ユーザがその上に座っている電子的ビデ・システムの実施形態の側方断面図である。
【図４】カメラとフラッシュ・ユニット（ｆｌａｓｈ  ｕｎｉｔ）とエアドライヤとを備えた流体ノズルを有する電子的ビデ・システムの１つの実施形態の上面図である。
【図５】３つのノズルを有する電子的ビデ・システムの１つの実施形態の上面図である。ここで、１つのノズルは流体を放出し、１つのノズルはエアドライヤを格納し、１つのノズルはカメラとフラッシュ・ユニットとを格納する。
【図６】電子的ビデ・システムの構成を示すブロック図である。
【発明を実施するための形態】
【００５１】
以下において、本発明の幾つかの実施形態を詳細に説明する。これらの実施形態は例としてのみ提示されるものであって、したがって、発明の範囲を過度に制限するべきものではない。実際、当該技術の通常の知識を有する者は、本発明が多くの変形および変更を教示すること、そして、本発明の多くの変形が本発明の範囲および精神から逸脱することなく採用され、使用され、実行され得ることを、本明細書を読み、本図面を見ることにより、理解するであろう。
【００５２】
図１〜５に示すように、本発明は、電子的ビデ・システム１を開示する。ビデ１は、水を供給する手段（図示せず）に永久的に取り付けられ、貯水タンク２と、開口４を有する鉢３と、座部５と、座部の蓋６と、貯水タンク２から排出された水をユーザ８の性器および直腸の領域９まで噴出するための少なくとも１つの流体ノズル７と、カメラ１０およびカメラ・フラッシュ１７のためのハウジングと、エアドライヤ１８とを含む。任意の噴出された水の方向を変えるために、流体ノズル７は、鉢３内においてノズル７を３次元的に動かすためのビデ１上の手段１４に接続されている。図４に示されるように、吹き出される空気の方向を変えるために、エアドライヤ１８は、鉢３内においてエアドライヤ１８を３次元的に動かすためのビデ１上の手段１４によって接続されてもよい。本発明の実施形態では、ビデ１の電子システムは、電線、充電式電池、または、太陽電池パネルへの取り付けによって電力供給されてもよい。
【００５３】
ビデ１は、鉢３内に含まれる１または複数のカメラ１０と、実行可能な対象認識ソフトウェア・アプリケーションを実行することができるコントローラ１１とを含む。本発明のもう一つの実施形態では、カメラ１０とエアドライヤ１８は、流体ノズル７に取り付けられてもよい。図５に示されるように、吹き出される空気の方向を変えるために鉢３内においてエアドライヤ１８を３次元的に動かすために、エアドライヤ１８はビデ１上で別のエアドライヤ・ノズル１９に接続されてもよい。図５に示されるように、鉢３内においてカメラ１０およびフラッシュ１７を３次元的に動かすために、カメラ１０およびカメラ・フラッシュ１７はビデ１上で別のノズル２０に接続されてもよい。コントローラ１１は、更に、重量センサまたは赤外センサと、前記流体ノズル７と、３次元的にノズル７を動かすための前記手段１４と、カメラ１０とをコントローラ１１に有効に接続するソフトウェアを実行する。
【００５４】
ユーザ８がビデ１に接近すると、センサ（複数）はユーザ８を検出して、コントローラ１１に信号を送る。本発明の実施形態（複数）では、これらのセンサは、投射された赤外光が接近しているユーザから反射されるのを検出する赤外センサ（複数）、または、座部５内に含まれる重量センサ（複数）であってもよい。本発明のもう一つの実施形態では、コントローラ１１に有効に接続されたビデ１上のボタン１２または他の作動装置をユーザ８が押すまでコントローラ１１は作動しない。ビデ１の他の作動装置の実施形態（複数）は、リモートコントロール、音声認識ソフトウェアと結合されたマイクロフォン、スマートフォン、タブレット、タッチパッド、または、マルチポイント・タッチスクリーンを含んでもよい。
【００５５】
ユーザ８がビデ１の座部５に座り、コントローラ１１が作動させられると、ビデ１の鉢開口４を通して、ユーザ８の直腸および性器の領域９の１または複数のデジタル画像１３またはライブ・ビデオ・フィード（ｌｉｖｅ  ｖｉｄｅｏ  ｆｅｅｄ）を撮るために、コントローラは内部カメラ１０に信号を送る。本発明の更なる実施形態では、ビデは、ユーザ８が座部５に座るとビデを作動させる別のモーション検知カメラ１３を含む。
【００５６】
前記画像（複数）またはビデオ・フィードは、コントローラ１１に送られ、ユーザ８の直腸および性器の領域９における下半身の孔（複数）、そして、それらの位置、寸法、および、形状を識別するために、対象認識ソフトウェアを用いて分析される。本発明の実施形態（複数）では、対象認識ソフトウェアは、位置決めされ追跡されるべき下記の対象のカテゴリを識別する。
肛門、睾丸、ペニス下部、膣、体毛クラスタ、並びに、（火傷、痔、出生斑、ほくろ、にきび、および、腫瘍を含む）種々の皮膚病および皮膚の状態
前記対象認識ソフトウェアは、ユーザ８の直腸および性器の領域９上で検出された対象の各々のカテゴリにスコア（複数）または信頼値（コンフィデンス／confidences）を割り当てるために、オブジェクト・モデル（複数）を使用する。前記対象認識ソフトウェアは、任意の冗長または矛盾する検出を抑制する。
【００５７】
これらの分析された画像に基づいて、ユーザ８の、特定の種類の孔（複数）、孔（複数）の位置、孔（複数）の寸法、孔（複数）の形状、性別、身体の種類、体重、および、他の特徴に対して、洗浄するための水および乾燥するためのエアを噴出するノズル７を自動的に調節するために、コントローラ１１はノズル７を３次元的に動かすための前記手段１４に信号を送る。本発明の１つの実施形態では、ノズル７の初期設定の洗浄動作では、女性のユーザ８の肛門と膣を洗浄するか、或いは、男性のユーザ８の肛門を洗浄する。
【００５８】
ビデ・システム１は、また、鉢３内で、カメラ１０に隣接する照明またはフラッシュ１７をも含んでよい。この照明またはフラッシュ１７は、鉢３内に全く、または、殆ど光が無い場合（例えば、ユーザ８が、非常に肥満体であって鉢開口４を通って入る光を遮る場合、或いは、暗がりでビデ１を使っている盲目のユーザ８である場合）に画像または映像を撮るために光を提供する。
【００５９】
本発明の実施形態（複数）では、流体ノズル７によって噴出される洗浄液は、清浄なすすぎ水（複数）、低アレルギー性の流体石鹸（複数）、または、痔などの病気または状態に対する特別な流体薬剤（複数）の任意の組合せを含み得る。
【００６０】
本発明の更なる実施形態では、コントローラ１１は、流体ノズル７に指示して、対象認識ソフトウェアによって検出される異常な解剖学的状態または身体的問題（例えば、痔、ほくろ、焼けどの痕、または、腫瘍）のための特別な清浄動作を実行させてもよい。清浄動作は、予め定められた条件に合わせて自動的に調節されることができる。
【００６１】
本発明の１つの実施形態では、カメラ１０はユーザ８の複数の画像または映像を自動的に撮ることができる。コントローラ１１は、座部５上のユーザ８の任意の動きを追跡するために、対象追跡ソフトウェアを更に含んでもよい。本発明の実施形態では、前記対象認識ソフトウェアは、撮られた複数の画像において、検出された対象を識別して、カテゴリによって区分する。
【００６２】
これらの分析された画像（複数）に基づいて、ユーザ８の任意の動きに対してノズル５を自動的に補正するようにコントローラ１１はノズル７を３次元的に動かすための前記手段１４に信号を送る。
【００６３】
対象追跡ソフトウェアは、ユーザ８の直腸および性器の領域９のどの部分が汚れているかについて決定してよい。カメラ１０は、ユーザ８がビデ１を使う前に、そして、各洗浄サイクルの後に、ユーザ８の複数の画像を自動的に撮ってもよい。対象追跡ソフトウェアによって、これらの画像は比較され、任意の相違が、汚れていると見なされ得る。これらの分析された画像に基づいて、コントローラ１１は、他の洗浄サイクルを開始するために、ノズル７に信号を送る。
【００６４】
ビデ１のコントローラ１１は、所定の洗浄サイクルの後に自動的にノズル７を止め、前記対象追跡ソフトウェアは、ユーザ８の直腸および性器の領域９の汚れ（排泄物）をもはや検出しないようにしても良い。本発明のもう一つの実施形態では、ユーザ８が座部５から立ち去り始めたことを前記対象追跡ソフトウェアが検出すると、ビデ１のコントローラ１１はノズル７を自動的に止めてもよい。前記対象追跡ソフトウェアが座部５上でユーザ８の存在をもはや検出しなくなると、コントローラ１１はビデ１の水洗機構を作動させてもよい。
【００６５】
本発明の更なる実施形態では、ビデ１のノズル７は、所定回数の洗浄の後で、あるいは、ユーザ８によってボタン１２が押された後で、自動的に停止してもよい。
【００６６】
ユーザ８がビデ１を使い終わった後、鉢３、鉢開口４、座部５、座部の蓋６、および、流体ノズル７の画像（複数）を撮るために、コントローラ１１はカメラ１０に信号を送ってもよい。これらの画像はコントローラ１１に送られ、ビデ１のどの部分が洗浄されなければならないかを識別するために、対象認識ソフトウェアを用いて分析される。これらの分析された画像に基づいて、自動的にビデ１の構成部品を洗浄するべく他の流体ノズルを３次元的に動かすために、コントローラ１１は手段１４に信号を送る。
【００６７】
図６は、コントローラ１１のアーキテクチャの１つの実施形態を示すブロック図である。コントローラ１１は、ＣＰＵ／マイクロプロセッサ１５、および、メインＲＡＭ／ＮＶメモリ１６を含んでもよい。ＣＰＵ／マイクロプロセッサ１５は、信号通信によって内蔵周辺機器または外部周辺機器を介してカメラ１０に接続する能力を有する。この周辺機器は、ＣＰＵ／マイクロプロセッサ１５が、カメラ１０で撮られた画像または映像を取得し分析することを可能にする。カメラ１０は画像や映像を撮ることができる。カメラ１０は、ユーザ８の直腸および性器の領域９を照らす手段、フラッシュ・ユニット１７を含んでもよい。ビデの使用を検出するために、重量センサまたはモーション検知カメラ１３が用いられる。
【００６８】
前記メモリ・モジュール１６は、以下のＡ）およびＢ）を含んでもよい。
Ａ）  ＣＰＵ／マイクロプロセッサ１５によって実行されるべきビデ・アプリケーション・ソフトウェアおよび対象認識ソフトウェアと、下半身の孔（複数）およびユーザ８の直腸および性器の領域９の状態を認識し、分類し、検出し、位置決めし、区分し、追跡するために前記対象認識ソフトウェアによって使用される、人体の孔（複数）および解剖学的状態（例えば、痔）のモデル（複数）のデータベースとを保持する非揮発性（ＮＶ）メモリ。オペレーティング・システムまたはカーネルもまた、このＮＶメモリに存在してよい。
Ｂ）  撮られた画像（複数）または映像、並びに、オペレーティング・システム、対象認識ソフトウェア、および、ビデ・アプリケーション・ソフトウェアによって実行される他の論理を処理するために必要なランダム・アクセス・メモリー（ＲＡＭ）。
【００６９】
コントローラ１１のＣＰＵ／マイクロプロセッサ１５の実施形態は、プロセッサ、マイクロプロセッサ、ＤＳＰ、マルチコア・プロセッサ、マイクロコントローラ、システムオンチップ、フィールド・プログラマブル・ゲート・アレイ（ＦＰＧＡ）、特定用途向け集積回路（ＡＳＩＣ）、特定用途向け命令セットプロセッサ（ＡＳＩＰ）またはグラフィック処理ユニット（ＧＰＵ）を含んでもよい。
【００７０】
更なる実施形態において、前記メイン・メモリ１６はコンピュータ読み出し可能情報およびソフトウェア実行可能命令を保存してもよく、固体、磁性、または、光学的記録媒体を含んでもよい。
【００７１】
本発明の実施形態（複数）では、システムの基礎となるアーキテクチャは、各々がオペレーティング・システム（例えば、Ｗｉｎｄｏｗｓ（登録商標）、ＯＳ２、ＤＯＳ、ＡＩＸ、ＵＮＩＸ（登録商標）、Ｌｉｎｕｘ（登録商標）、または、単なるカーネル）の制御の下で実行する１つまたは複数のコンピュータ・プログラムを使用して実装されてもよい。
【００７２】
本発明の多くの態様および利点は詳細な説明から明らかであり、それ故、以下の請求の範囲がそのような態様および利点を包含することを意図しており、また、そのような態様および利点は本発明の範囲および精神に含まれるものである。また、多くの変更および変形が自明であり、当業者にとって容易に想起されると考えられ、請求の範囲は、本発明を、ここに例示され記述された構成および動作そのものに制限するもの見なされるべきではない。したがって、全ての適切な変更および相当な構成は、請求の範囲に記載された本発明の範囲に含まれると理解されるべきである。
【図１】
2016532025.tif 000003
【図２】
2016532025.tif 000004
【図３】
2016532025.tif 000005
【図４】
2016532025.tif 000006
【図５】
2016532025.tif 000007
【図６】
2016532025.tif 000008
【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルを有する少なくとも１つのエアドライヤと、前記エアドライヤ・ノズルを前記鉢内において３次元的に動かすための前記ビデ上の手段と、実行可能なソフトウェアを備えるコンピューティング装置と、メモリ記憶装置と、前記鉢内に含まれ、前記コンピューティング装置に動作可能に接続されるカメラと、前記カメラに隣接する鉢照明と、前記ビデを作動させる少なくとも１つの作動装置を含む電子的ビデ・システムであって、
前記カメラは前記ビデの前記鉢開口を通してユーザの性器および肛門の領域の少なくとも１つの画像を撮り、前記少なくとも１つの画像は、前記コンピューティング装置に送られ、前記ユーザの性器および肛門の領域における下半身の孔の種類、寸法、形状、および、位置を識別するために対象認識ソフトウェアによって分析され、前記コンピューティング装置は、前記ユーザの識別された孔の種類、孔の位置、孔の寸法、孔の形状、性別、身体の寸法、および、体重を清浄するために、流体を噴出する前記ノズルを自動的に調節するように、前記流体ノズルを３次元的に動かす前記手段に対して信号を送り、更に、前記コンピューティング装置は、前記ユーザの識別された孔の種類、孔の位置、孔の寸法、孔の形状、性別、身体の寸法、および、体重に対して、乾燥するための乾燥空気を噴出する前記エアノズルを自動的に調節するために、前記エアノズルを３次元的に動かす前記手段に対して、信号を送る電子的ビデ・システム。
【請求項２】
前記ビデのための前記作動装置は、前記ビデ上に座っているユーザを検出する接近センサを含み、自動的に前記ビデを作動させる請求項１に記載の電子的ビデ・システム。
【請求項３】
前記近接センサは、赤外センサ、重量センサ、および、モーション検知カメラから選択されるグループから構成される請求項２に記載の接近センサ。
【請求項４】
前記カメラがレンズの上の撥水性の保護フィルタを更に含む請求項１に記載の電子的ビデ・システム。
【請求項５】
前記ビデのための前記作動装置は、一つのボタンを含み、該ボタンを押すことが洗浄サイクルを始動する請求項１に記載の電子的ビデ・システム。
【請求項６】
前記ビデのための前記作動装置は、膣の洗浄のための第１のボタンと臀部の洗浄のための第２のボタンとの２つのボタンを含み、何れかのボタンを押すことが洗浄サイクルを始動する請求項１に記載の電子的ビデ・システム。
【請求項７】
前記洗浄サイクルを作動させることは、自動的に、予め定められた秒数の間の洗浄段階から始めて、予め定められた秒数の間の乾燥段階に切り替え、その後、停止させる請求項１に記載の電子的ビデ・システム。
【請求項８】
前記流体ノズルによって噴出される流体は、清浄なすすぎ水、低アレルギー性の流体石鹸、及び、流体薬剤の組合せから選択されるグループから成る請求項１に記載の電子的ビデ・システム。
【請求項９】
前記カメラは、前記ユーザの性器と肛門の領域の第２の複数の画像を自動的に撮り、該第２の複数の画像は、前記コンピューティング装置に送られ、前記ユーザの性器と直腸の領域における下半身の孔の種類、寸法、形状、および、位置を識別するために対象認識ソフトウェアで分析され、前記ユーザの任意の動きを補償するように前記流体ノズルおよび前記エアドライヤ・ノズルを自動的に調節するために、前記コンピューティング装置は、前記流体ノズルを３次元的に動かすための前記手段および前記エアドライヤ・ノズルを３次元的に動かすための前記手段に信号を送る請求項１に記載の電子的ビデ・システム。
【請求項１０】
前記カメラは、前記ユーザの性器と肛門の領域の第３の複数の画像を自動的に撮り、該第３の複数の画像は、前記コンピューティング装置に送られ、前記ユーザが前記ビデからの距離のしきい値を超えたかどうかを決定するための対象認識ソフトウェアで分析され、前記距離のしきい値を超えたかどうかが決定され、前記コンピューティング装置は、流体の噴出を止めるように前記流体ノズルを３次元的に動かすための前記手段に信号を送り、吹付け空気を止めるように前記エアドライヤ・ノズルを３次元的に動かすための前記手段に信号を送る請求項１に記載の電子的ビデ・システム。
【請求項１１】
前記カメラは、前記ユーザの性器と肛門の領域の第４の複数の画像を自動的に撮り、該複数の画像は、前記コンピューティング装置に送られ、前記ユーザの依然汚れている任意の部分を識別するために対象認識ソフトウェアで分析され、流体を噴出するように前記流体ノズルを自動的に調節するために、前記コンピューティング装置は、前記流体ノズルを３次元的に動かすための前記手段に信号を送る請求項１に記載の電子的ビデ・システム。
【請求項１２】
前記システムは充電式電池によって電力供給される請求項１に記載の電子的ビデ・システム。
【請求項１３】
前記システムは太陽電池パネルによって電力供給される請求項１に記載の電子的ビデ・システム。
【請求項１４】
前記対象認識ソフトウェアは、前記鉢の汚れている領域を分類し、位置決めして、該汚れている領域を洗浄するために前記流体ノズルを３次元的に動かすための前記手段に信号を送る請求項１に記載の電子的ビデ・システム。
【請求項１５】
前記対象認識ソフトウェアが前記ユーザを女性として分類したとき、前記システムは、二重スプレー流体ノズルによって膣および肛門を同時に洗浄する請求項１に記載の電子的ビデ・システム。
【請求項１６】
前記対象認識ソフトウェアは、前記ユーザの肛門、睾丸、ペニスの下部、膣、体毛クラスタ、焼けどの痕、痔、出生斑、ほくろ、にきび、腫瘍、および、汚れた場所を識別し、区分し／境界を定める請求項１に記載の電子的ビデ・システム。
【請求項１７】
貯水タンクと、開口を有する鉢と、座部と、座部の蓋と、流体を噴出するための少なくとも１つの流体ノズルと、前記流体ノズルを前記鉢内において３次元的に動かすための前記ビデ上の手段と、エアドライヤ・ノズルと該エアドライヤ・ノズルを前記鉢内において３次元的に動かすための前記ビデ上の手段とを含む少なくとも１つのエアドライヤと、実行可能なソフトウェアを備えるコンピューティング装置と、メモリ記憶装置と、前記鉢内に含まれ、前記コンピューティング装置に動作可能に接続されるカメラと、前記カメラに隣接する鉢照明と、前記ビデを作動させる少なくとも１つの作動装置とを含む電子的ビデ・システムであって、
前記カメラはユーザの性器および肛門の領域の映像を前記ビデの前記鉢開口を通して撮り、前記映像は、前記コンピューティング装置に送られ、前記ユーザの性器および肛門の領域における下半身の孔の種類、寸法、形状、および、位置を識別するために画像認識ソフトウェアによって分析され、前記コンピューティング装置は、前記ユーザの識別された孔の種類、孔の位置、孔の寸法、孔の形状、性別、身体の寸法、および、体重を清浄するために、流体を噴出する前記ノズルを自動的に調節するように、前記流体ノズルを３次元的に動かす前記手段に対して信号を送り、前記コンピューティング装置は、前記ユーザの識別された孔の種類、孔の位置、孔の寸法、孔の形状、性別、身体の寸法、および、体重に対して、乾燥するための乾燥空気を噴出する前記エアノズルを自動的に調節するために、前記エアノズルを３次元的に動かす前記手段に対して信号を送る電子的ビデ・システム。
【請求項１８】
前記ビデのための前記作動装置は、前記ビデ上に座っているユーザを検出する接近センサを含み、自動的に前記ビデを作動させる請求項１７に記載の電子的ビデ・システム。
【請求項１９】
前記近接センサは、赤外センサ、重量センサ、および、モーション検知カメラから選択されるグループから構成される請求項１８に記載の接近センサ。
【請求項２０】
前記カメラがレンズの上の撥水性の保護フィルタを更に含む請求項１７に記載の電子的ビデ・システム。
【請求項２１】
前記ビデのための前記作動装置は、一つのボタンを含み、該ボタンを押すことが洗浄サイクルを始動する請求項１７に記載の電子的ビデ・システム。
【請求項２２】
前記ビデのための前記作動装置は、膣の洗浄のための第１のボタンと臀部の洗浄のための第２のボタンとの２つのボタンを含み、何れかのボタンを押すことが洗浄サイクルを始動する請求項１７に記載の電子的ビデ・システム。
【請求項２３】
前記洗浄サイクルを作動させることは、自動的に、予め定められた秒数の間の洗浄段階から始めて、予め定められた秒数の間の乾燥段階に切り替え、その後、停止させる請求項１７に記載の電子的ビデ・システム。
【請求項２４】
前記流体ノズルによって噴出される流体は、清浄なすすぎ水、低アレルギー性の流体石鹸、及び、流体薬剤の組合せから選択されるグループから成る請求項１７に記載の電子的ビデ・システム。
【請求項２５】
前記ユーザの任意の動きを補償するように前記流体ノズルおよび前記エアドライヤ・ノズルを自動的に調節するために、前記コンピューティング装置は、前記流体ノズルを３次元的に動かすための前記手段および前記エアドライヤ・ノズルを３次元的に動かすための前記手段に信号を送る請求項１７に記載の電子的ビデ・システム。
【請求項２６】
前記対象認識ソフトウェアが、前記ユーザが前記ビデからの距離のしきい値を超えたかどうかを決定するために用いられ、前記距離のしきい値を超えたかどうかが決定され、前記コンピューティング装置は、流体の噴出を止めるために前記流体ノズルを動かすための前記手段に信号を送り、吹付け空気を止めるように前記エアドライヤ・ノズルを３次元的に動かすための前記手段に信号を送る請求項１７に記載の電子的ビデ・システム。
【請求項２７】
前記対象認識ソフトウェアは、前記ユーザの依然汚れている任意の部分を識別するために用いられ、前記コンピューティング装置は、流体を噴出するように前記流体ノズルを自動的に調節するために、前記流体ノズルを３次元的に動かすための前記手段に信号を送る請求項１７に記載の電子的ビデ・システム。
【請求項２８】
前記システムは充電式電池によって電力供給される請求項１７に記載の電子的ビデ・システム。
【請求項２９】
前記システムは太陽電池パネルによって電力供給される請求項１７に記載の電子的ビデ・システム。
【請求項３０】
前記対象認識ソフトウェアは、前記鉢の汚れている領域を分類し、位置決めして、該汚れている領域を洗浄するために前記流体ノズルを３次元的に動かすための前記手段に信号を送る請求項１７に記載の電子的ビデ・システム。
【請求項３１】
前記対象認識ソフトウェアが前記ユーザを女性として分類したとき、前記システムは、二重スプレー流体ノズルによって膣および肛門を同時に洗浄する請求項１７に記載の電子的ビデ・システム。
【請求項３２】
前記対象認識ソフトウェアは、前記ユーザの肛門、睾丸、ペニスの下部、膣、体毛クラスタ、焼けどの痕、痔、出生斑、ほくろ、にきび、腫瘍、および、汚れた場所を識別し、区分し／境界を定める請求項１７に記載の電子的ビデ・システム。
【国際調査報告】
2016532025.tif 000009